(57)【特許請求の範囲】
【請求項１】
蓋体１０と、
ハウジング２０と、
ろ過ユニット３０と、を含んでなり、
該蓋体１０は上端に入力口１１が形成され、
該ハウジング２０は該蓋体１０に接続し、上端面には外周に沿って下向きに第１段差部２１が形成されるとともに、上端の内周面には、内周に沿って下向きに第２段差部２２と第３段差部２３とが形成され、かつ内部には外部に連通する収納空間２４が形成され、底端には該収納空間２４に連通する出力口２５が形成され、
該ろ過ユニット３０は、第１環状体３１と、該第１環状体３１の底部に接続するフィルターバッグ３２と、を含み、
該第１環状体３１の上端は外方向に折り曲げて外縁部３１１を形成し、該外縁部３１１の外側底端部には外周に沿って第２環状体３３を形成し、かつ該第２環状体３３の上端面の広さを該第２環状体３３の底面の広さより広くして、該第２環状体３３の上端面の外側から該第２環状体３３の底面外側との間に傾斜面部３３１を形成し、
該ろ過ユニット３０を該収納空間２４に設けて該第２環状体３３を該第２段差部２２上に係合させる
ことを特徴とするろ過装置。
【請求項２】
請求項１に記載のろ過装置において、
前記ハウジング２０の上端面が内側に延伸してストッパー部２６を形成し、かつ該ストッパー部２６が該第２段差部２２の上方に位置する
ことを特徴とするろ過装置。
【請求項３】
請求項１に記載のろ過装置において、
前記第２環状体３３は、直径を該第２段差部２２の直径より大きくして該第２環状体３３を該第２段差部２２に緊密に係合させるとともに、該第２段差部２２に向かって拡大させ当接させる
ことを特徴とするろ過装置。
【請求項４】
請求項１に記載のろ過装置において、
前記第１環状体３１は材質をプラスチック、又はゴムとし、該第２環状体３３は熱可塑性加硫物を材質とする
ことを特徴とするろ過装置。
【請求項５】
ろ過ユニット３０を含むろ過装置であって、
該ろ過ユニット３０は、第１環状体３１と、該第１環状体３１の底部に接続するフィルターバッグ３２と、を含み、
該第１環状体３１の上端は外方向に折り曲げて外縁部３１１を形成し、該外縁部３１１の外側底端部には外周に沿って第２環状体３３を形成し、かつ該第２環状体３３の上端面の広さを該第２環状体３３の底面の広さより広くして、該第２環状体３３の上端面の外側から該第２環状体３３の底面外側との間に傾斜面部３３１を形成する
ことを特徴とするろ過装置。
【請求項６】
請求項５に記載のろ過装置において、
前記第１環状体３１は材質をプラスチック、又はゴムとし、該第２環状体３３は熱可塑性加硫物を材質とする
ことを特徴とするろ過装置。
【発明の詳細な説明】
【技術分野】
【０００１】
この発明は、ろ過装置に関し、特にスチームろ過装置におけるフィルターバッグの構造に関する。
【背景技術】
【０００２】
従来の工業用のろ過装置は、フィルターカートリッジの上面と底面とを密封し、かつ底端と底端の外周壁のいずれをも被覆し、固定することでフィルターカートリッジの変形による損壊を防ぎ、ろ過装置全体のろ過の効果を高めている。然しながら、従来のフィルターバッグ式ろ過装置は、フィルターバックの環状口部が硬質のプラスチック材によってなるため容易に割れたり、変形したりする。また、これを金属製のフィルターハウジングに密接させて設ける場合は、両者がいずれも硬質であるため、緊密に接触することはできるが確実な密封を達成することはできない。このため、液体が接触する位置の周りから流出し、完全に密着させることができない。よって、改善の必要性がある。
【発明の概要】
【発明が解決しようとする課題】
【０００３】
この発明は、好ましい液密特性を具え、かつフィルター部材の使用寿命を延長できるろ過装置を提供することを課題とする。
【課題を解決するための手段】
【０００４】
そこで、本発明者は上述する従来の技術に見られる欠点に鑑み鋭意研究を重ね、本発明を完成させた。即ち、この発明によるろ過装置は、蓋体と、ハウジングと、ろ過ユニットとを含んでなり、該不板体は上端に入力口が形成され、該ハウジングは該蓋体に接続し、上端面には外周に沿って下向きに第１段差部が形成されるとともに、該ハウジングの上端の内周面には、内周に沿って下向きに第２段差部２と第３段差とが形成され、かつ該ハウジングの内部には外部に連通する収納空間が形成され、該ハウジングの底端には該収納空間に連通する出力口が形成される。該ろ過ユニットは、第１環状体と、及び該第１環状体の底部に接続するフィルターバッグとを含み、該第１環状体の上端は外方向に折り曲げて外縁部を形成し、該外縁部の外側底端部には外周に沿って第２環状体を形成し、かつ該第２環状体の上端面の広さを該第２環体底面の広さより広くして、該第２環状体の上端面の外側から該第２環状体の底面外側との間に傾斜面部を形成し、該ろ過ユニットを該収納空間に設けて該第２環状体を該第２段差部上に係合させる。係る構成によって、この発明によるろ過装置は、好ましい液密特性を具え、かつフィルター部材の使用寿命を延長できる。
【図面の簡単な説明】
【０００５】
【図１】この発明によるろ過装置の外観を示した斜視図である。
【図２】図１に開示するろ過装置を分解した状態を示した説明図である。
【図３】この発明における第１環状体と第２環状体との断面構造を示した説明図である。
【図４】この発明におけるろ過ユニットをハウジングに取り付けた状態の断面図である。
【発明を実施するための形態】
【実施例】
【０００６】
図１、図２に開示するように、この発明によるろ過装置は、蓋体１０と、ハウジング２０と、ろ過ユニット３０とを含み、それぞれの部材について、以下に詳述する。
【０００７】
蓋体１０は、上端に入力口１１が形成される。
【０００８】
図２、図４に開示するように、ハウジング２０は蓋体１０に接続する。ハウジング２０の上端には、外周に沿って下向きに第１段差部２１が形成されるとともに、ハウジング２０の上端の内周面には、内周に沿って下向きに第２段差部２２と第３段差２３とを順に形成する。また、ハウジング２０の内部は外部に連通する収納空間２４が形成され、ハウジング２０の底端には収納空間２４に連通する出力口２５が形成される。さらに、ハウジング２０の上端面は内側に延伸してストッパー部２６が形成される。ストッパー部２６は第２段差部２２の上方に位置する。
【０００９】
図２から図４に開示するように、ろ過ユニット３０は第１環状体３１と、第１環状体３１の底部に接続するフィルターバッグ３２とを含み、第１環状体３１の上端面は外方向に折り曲げて外縁部３１１を形成する。外縁部３１１の外側底端部には外周に沿って第２環状体３３を形成する。第１環状体３１の上端面は外方向に傾斜した傾斜面状を呈し、外縁部３１１の外側は、内側に傾斜した傾斜面状を呈する。第１環状体３１の上端面と外縁部３１１の上端との間には平面部３１２が形成される。
【００１０】
第２環状体３３の上端面の広さは第２環状体３３の底面の広さより広くして、第２環状体３の上端面の外側から第２環状体３３の底面外側との間に傾斜面部３３１を形成する。ろ過ユニット３０は収納空間２４内に設け、第２環状体３３が第２段差部２２上に係合する。フィルターバッグ３２は収納空間２４内に位置する。
【００１１】
第２環状体３３は、直径を第２段差部２２の直径より大きくし、第２環状体３３を第２段差部２２上に緊密に係合させるとともに、第２段差部２２に向かって拡大させ当接させる。さらに一歩進んで説明すると、第１環状体は材質をプラスチック、又はゴムとし、第２環状体は熱可塑性加硫物を材質とし、且つ第２環状体３３の直径を第２段差部２２の直径に比してやや大きくする。よって、取り付ける場合第１環状体３１と第２環状体３３とがやや圧迫されて第２段差部２２に圧入する。圧入した後の第２環状体３３は、弾性によって自然に外側へ拡張し、第２段差部２２に当接する。このため、好ましい液密効果が得られる。
【符号の説明】
【００１２】
１０    蓋体
１１    入力口
２０    ハウジング
２１    第１段差部
２２    第２段差部
２３    第３段差部
２４    収納空間
２５    出力口
２６    ストッパー部
３０    ろ過ユニット
３１    第１環状体
３１１    外縁部
３１２    平面部
３２    フィルターバッグ
３３    第２環状体
３３１    傾斜面部
【図１】
0006716651.tif 000002
【図２】
0006716651.tif 000003
【図３】
0006716651.tif 000004
【図４】
0006716651.tif 000005